(57)【要約】本発明はファンクショナルメタデータ（９）によって制御可能な、そして、特に、再生装置の機能を追加し、適合させ、または、制御するために使用されるオブジェクト（１０）を含むメタデータを受信するように構成された再生装置（１）に関連する。再生装置はさらにペイロードデータ（８）を含むデータファイル（２）からメタデータ（９）を抽出するための復号手段（３）、制御部（４）、表示手段と入力手段を有するユーザーインターフェース（５）を備えている。復号手段はメタデータからオブジェクト（１０）を抽出すること、そして、そのオブジェクトはユーザーインターフェースにおいて使用される機能を含み、ユーザーインターフェースにペイロードデータを転送するよう適合しており、制御部はオブジェクトに依存してユーザーインターフェースを制御するよう適合している。本発明はさらに、そのようなオブジェクトを含むコンテンツと再生装置においてメタデータによって制御可能なユーザーインターフェースを提供するためのコンピュータープログラムに関連する。
2010518450.tif 000002
【特許請求の範囲】
【請求項１】
再生装置であって、
ペイロードデータを含むデータファイルからメタデータを抽出する復号手段と、
制御部と、
表示手段と入力手段とを有するユーザーインターフェースと
を備え、
前記復号手段は、前記メタデータからオブジェクトを抽出するとともに、前記ユーザーインターフェースにペイロードデータを転送するように構成されており、
前記オブジェクトは、前記ユーザーインターフェースにおいて利用される機能を含み、
前記制御部は、前記オブジェクトに依存して前記ユーザーインターフェースを制御するように適合していることを特徴とする再生装置。
【請求項２】
前記復号手段は、前記オブジェクトの真偽性および完全性の少なくと一方を制御するために適合していることを特徴とする請求項１記載の再生装置。
【請求項３】
前記復号手段は、前記オブジェクトからバリディティ情報を抽出するように適合しており、
前記制御部は、前記バリディティ情報に依存してオブジェクトを処理するように適合していることを特徴とする請求項１記載の再生装置。
【請求項４】
前記オブジェクトは、画像を含み、
前記制御部は、前記ユーザーインターフェースにおいて前記画像を利用するように適合していることを特徴とする請求項１記載の再生装置。
【請求項５】
前記制御部は、前記オブジェクトを抽出されるファイルに含まれているペイロードデータを利用することで、前記表示手段において前記画像を利用するように適合していることを特徴とする請求項４記載の再生装置。
【請求項６】
前記オブジェクトは、前記アプリケーションを含み、
前記制御部は、前記ユーザーインターフェースの制御に関して前記アプリケーションを実行するように適合していることを特徴とする請求項１記載の再生装置。
【請求項７】
前記アプリケーションは、プレイヤーのシンボル、メニュー、および、背景画像のうちの少なくとも１つを含むことを特徴とする請求項６記載の再生装置。
【請求項８】
前記アプリケーションは、利用者にメッセージを提供するためのデータを含むことを特徴とする請求項６記載の再生装置。
【請求項９】
前記アプリケーションは、前記利用者に前記入力手段を通して再生装置と相互作用させるためのデータを含むことを特徴とする請求項８記載の再生装置。
【請求項１０】
前記アプリケーションは、さらに商品を購入するための提案を含むことを特徴とする請求項９記載の再生装置。
【請求項１１】
前記アプリケーションは、アドレスデータを含み、
前記再生装置は、さらに前記制御部によって制御される通信インターフェースを備え、
前記制御部は、前記通信インターフェースを介してアドレスデータによって定義された対象者との通信を確立するために適合していることを特徴とする請求項６記載の再生装置。
【請求項１２】
前記オブジェクトは、ソフトウエアの互換性を示すバージョンラベルを含み、
前記制御部は、前記バージョンラベルに基づいて前記再生装置においてソフトウエアを制御するよう適合していることを特徴とする請求項６記載の再生装置。
【請求項１３】
前記再生装置は、専用の音楽再生機、追加的に音楽再生機を備えられた電子機器、携帯電話、ページャー、コミュニケーター、スマートフォン、または、電子手帳のような持ち運び可能な音楽再生装置であることを特徴とする請求項１記載の再生装置。
【請求項１４】
コンテンツであって、
メタデータとペイロードデータを有し、
オブジェクトが前記メタデータに内包されており、
前記オブジェクトは、再生装置のユーザーインターフェースにおいて利用される機能を含むことを特徴とするコンテンツ。
【請求項１５】
前記オブジェクトは、真偽性チェックを可能ならしめる鍵によって保護されていることを特徴とする請求項１４記載のコンテンツ。
【請求項１６】
前記オブジェクトは、前記ユーザーインターフェースにおいて利用される画像を含むことを特徴とする請求項１４記載のコンテンツ。
【請求項１７】
前記オブジェクトは、前記ユーザーインターフェースの制御に関連して実行されるアプリケーションを含むことを特徴とする請求項１４記載のコンテンツ。
【請求項１８】
前記アプリケーションは、プレイヤーのシンボル、メニュー、または、背景画像のうちの少なくとも１つを含むことを特徴とする請求項１７記載のコンテンツ。
【請求項１９】
前記アプリケーションは、利用者にメッセージを提供するためのデータを含むことを特徴とする請求項１４記載のコンテンツ。
【請求項２０】
前記アプリケーションは、前記利用者に入力手段を通して再生装置と相互作用させるためのデータを含むことを特徴とした請求項１９記載のコンテンツ。
【請求項２１】
前記アプリケーションは、さらに商品を買うための提案を含むことを特徴とする請求項２０記載のコンテンツ。
【請求項２２】
前記アプリケーションは、アドレスデータによって定義される対象者との通信を確立するためのアドレスデータを含む請求項１４記載のコンテンツ。
【請求項２３】
前記オブジェクトは、ソフトウエアの互換性を示すバージョンラベルに応じて再生装置においてソフトウエアを制御するのためのバージョンラベルを含むことを特徴とする請求項１４記載のコンテンツ。
【請求項２４】
再生装置においてメタデータによって制御可能なユーザーインターフェースを提供するためのコンピュータープログラムであって、
前記コンピュータープログラムは、
ペイロードデータを含むデータファイルからメタデータを抽出し、前記メタデータからオブジェクトを抽出し、前記オブジェクトは前記ユーザーインターフェースにおいて利用される機能を含み、前記ペイロードデータを前記ユーザーインターフェースに転送し、前記ユーザーインターフェースを前記オブジェクトに依存して制御するように構成された復号手段を提供するコンピュータープログラムコードを有することを特徴とするコンピュータープログラム。
【発明の詳細な説明】
【技術分野】
【０００１】
この本発明はファンクショナル（機能的な）メタデータによって制御可能で、特にデバイスの機能を追加し、適合させ、または、制御するために利用されるオブジェクトを含むメタデータを受け取るように構成された再生装置に関連している。本発明はさらにそのようなオブジェクトを含むコンテンツ、再生装置においてメタデータによって制御可能なユーザーインターフェースを提供するためのコンピュータープログラムとも関連している。
【背景技術】
【０００２】
携帯電話に組み込まれたような再生装置はしばし音楽やビデオを再生するためのオーディオ／ビデオ再生機を含む。オーディオ／ビデオデータはバイナリファイルとして検索され、保存され、または、検索されかつ保存される。そして、それはメタデータを含みうる。メタデータは実際にオーディオデータ／ビデオデータを含むペイロードデータに付加されるデータである。データはＭＰ３、ＷＭＡ、ＡＡＣもしくはＯｇｇ  Ｖｏｒｂｉｓのようなさまざまな形式で保存されうる。メタデータの特別な形式の１つはＩＤ３タグである。メタデータは曲名、アーティスト、アルバム、年、コメント、トラック、ジャンルを含むファイルのコンテンツ（中身）を表しうる。それはデータのいくつかの種類に対する分野や枠もまた含んでもよい。タグは再生されるときにタイトルを表示するだけでなく検索にも使われる。
【０００３】
米国特許出願第２００４／００２９５２５号明細書は携帯端末におけるインターネット放送のためのチューニング装置とユーザーインターフェースを開示している。１つの実施形態において、開示されたシステムはチューニング装置を通してオーディオコンテンツの場所を組織化し、分類することによって興味のあるオーディオ放送を整理するものである。チューニング装置はフィルタ／格付けプログラムを有する。そして、それはウェブページからメタデータ、そして、もしくはメタタグを抽出しうる。そのシステムはさらに利用者が好みの説明を入力した関係のあるデータベースを利用する。
【０００４】
米国特許出願第２００５／０１０２３０８号明細書は関連したメタデータを持っているデータ保管場所と順応して調和するシステムを開示している。ユーザーインターフェースがメタデータに依存するインターフェース要素を持つように動的に生成される。
【先行技術文献】
【特許文献】
【０００５】
【特許文献１】米国特許出願第２００４／００２９５２５号明細書
【特許文献２】米国特許出願第２００５／０１０２３０８号明細書
【発明の概要】
【発明が解決しようとする課題】
【０００６】
本発明の目的はメタデータの利用可能性を拡張した装置を提供すること、そして、特に、メタデータから抽出されたオブジェクトを通して自動的にユーザーインターフェースを制御することである。
【０００７】
さらなる本発明の目的はメタデータを内包したオブジェクトとともにコンテンツを提供することである。オブジェクトはユーザーインターフェースにおいて利用されるフィーチャー（機能）を含む。特に、オブジェクトはペイロードの中身との関係を保持する機能を含む。
【０００８】
さらなる本発明の対象は再生装置においてメタデータによって制御可能なユーザーインターフェースを提供するためのコンピュータープログラムを提供することである。
【０００９】
発明の要約
第１の観点によれば、本発明はペイロードデータを含むデータファイルからメタデータを抽出するための復号手段と、制御部と、表示手段と入力手段を有するユーザーインターフェースを備えた再生装置を提供する。
【００１０】
復号手段はメタデータからオブジェクトを抽出することと、そしてそのオブジェクトはユーザーインターフェースにおいて利用される機能を含み、ペイロードデータをユーザーインターフェースに転送することに適合しており、制御部はオブジェクトに依存してユーザーインターフェースを制御することに適合している。
【００１１】
好ましくは、復号手段はオブジェクトの真偽性（authenticity）および完全性（integrity）のうち少なくとも一方を制御するよう適合している。
【００１２】
１つの実施形態において、復号手段はオブジェクトから正当性を示す正当性（バリディティ）情報を抽出するよう適合しており、制御部はバリディティ情報に依存してオブジェクトを処理するように適合している。
【００１３】
オブジェクトは画像を含んでもよく、そして、制御部はユーザーインターフェースにおいて当該画像を使用するよう適合していてもよい。
【００１４】
１つの実施形態において、制御部はオブジェクトを抽出されるファイルのペイロードデータを使用することと関連して、表示手段において画像を使うよう適合している。
【００１５】
オブジェクトはアプリケーションを含んでもよく、そして、制御部は制御可能なユーザーインターフェースと関連してアプリケーションを実行するよう適合していてもよい。
【００１６】
アプリケーションはプレイヤー（再生機）のシンボル、メニュー、および、背景画像のうち少なくとも１つを含んでもよい。
【００１７】
アプリケーションは利用者にメッセージを提供するためのデータを含んでもよい。
【００１８】
アプリケーションはさらに利用者に入力手段を通して再生装置と相互作用させるデータを含んでもよい。
【００１９】
アプリケーションはさらに商品を購入するための提案を含んでもよい。
【００２０】
１つの実施形態において、アプリケーションはアドレスデータを含み、再生装置はさらに制御部によって制御される通信インターフェースを含み、制御部は通信インターフェースを通してアドレスデータによって定義される対象者と通信を確立するように適合している。
【００２１】
１つ実施形態において、オブジェクトはバージョンラベルを含み、制御部は互換性を示すバージョンラベルに応じて再生装置においてソフトウエアを制御するように適合している。
【００２２】
再生機は専用の音楽再生機、追加的に音楽再生機を含む電子機器、携帯電話、ページャー、コミュニケーター、スマートフォン、または電子手帳のような持ち運び可能な音楽再生装置であってもよい。
【００２３】
第２の観点によれば、本発明はメタデータとペイロードデータ、再生装置のユーザーインターフェースにおいて利用される機能を含むオブジェクトを有するコンテンツを提供する。オブジェクトはメタデータに内包される。
【００２４】
好ましくは、オブジェクトはバリディティチェックが可能であるキー（鍵）によって保護られる。
【００２５】
オブジェクトはユーザーインターフェースにおいて利用される画像を含んでもよい。
【００２６】
オブジェクトはユーザーインターフェースを制御することに関連して実行されるアプリケーションを含んでもよい。
【００２７】
アプリケーションはプレイヤーのシンボル、メニュー、または背景画像のうちの少なくともひとつを含んでもよい。
【００２８】
アプリケーションは利用者にメッセージを提供するためのデータを含んでもよい。
【００２９】
アプリケーションはさらに利用者に入力手段を通して再生装置と相互作用させるためのデータを含んでもよい。
【００３０】
アプリケーションはさらに商品を購入するための提案を含んでもよい。
【００３１】
アプリケーションはアドレスデータによって定義される対象者と通信を確立するためのアドレスデータを含んでもよい。
【００３２】
オブジェクトはソフトウエアの互換性を示すバージョンラベルに応じて装置においてソフトウエアを制御するためのバージョンラベルを含んでもよい。
【００３３】
第３の観点によれば、本発明は再生装置においてメタデータによって制御可能なユーザーインターフェースを提供するコンピュータープログラムを提供する。
【００３４】
前記コンピュータープログラムはペイロードデータを含むデータファイルからメタデータを抽出し、復号手段はメタデータからオブジェクトを抽出し、そして、そのオブジェクトはユーザーインターフェースにおいて利用される機能を含み、ユーザーインターフェースにペイロードデータを転送するように適合し、ユーザーインターフェースはオブジェクトに依存して制御される復号手段を提供するコンピュータープログラムコードを有する。
【００３５】
オブジェクトは上記で概観された機能を含む。
【図面の簡単な説明】
【００３６】
本発明の実施形態は願書に添付された図面を参照しつつ以下で詳細に説明される。
【図１】図１は本発明の実施形態に従った再生機の模式図である。
【図２】図２は本発明に従った再生装置の表示画面の模式図である。
【発明を実施するための形態】
【００３７】
本発明は、専用のミュージックプレイヤー（音楽再生機）、追加的に音楽再生機を備えられた電子機器、例えば、携帯電話機、ページャー、コミュニケーター、スマートフォン、または、電子手帳のようなポータブルミュージックプレイヤー（携帯音楽再生機）を参照しつつ説明される。本発明は一般にマルチメディア再生機やビデオシステムやオーディオシステムやデスクトップコンピューターのような固定した装置にも等しく適用できる。
【００３８】
本発明に従った音楽再生機の具体化の模式図は図１に示される。再生装置１はデータファイル２から音楽を再生することが可能である。データファイル２はコンテンツプロバイダーから購入したコンテンツと呼ばれるものであってもよい。一般に、ファイルは画像やアニメやオーディオやビデオを含むマルチメディアファイルであってもよい。データファイル２は再生装置１に組み込まれたメモリ６もしくは再生装置１に接続されたメモリ６に保存されてもよいし、または、通信インターフェース７を通してストリーミングされ、部分的にバッファーメモリ、例えば、メモリ６に保存されてもよい。
【００３９】
上記で説明したように、今日、音楽データにはさまざまな形式が存在する。それらはペイロードデータ８とメタデータ９とを有する。そして、ペイロードデータは再生装置１によって再生される実際のデータである。メタデータはヘッダーかデータファイルの終わりに存在しうるデータである。ＩＤ３形式の場合では、ＩＤ３タグは、例えば、テキストフィールド、データフィールド、ジャンルフィールドなどを有する。タグは一般的な内包されたオブジェクト、言い換えると、メタデータ９にちょうど含まれているいくつかの形式のオブジェクトを有してもよい。そして、それは、データファイル２を受信する装置に依存して使われてもよいし、または使われなくてもよい。
【００４０】
再生装置１はハードウエアやソフトウエアの手段によって再生装置１の動作を制御する制御部４を有する。ユーザーインターフェース５は利用者に再生装置１に命令を入力させるための制御ボタン、キーパッド、もしくは、他のつまみだけでなく、映像表示装置やスピーカーとともに設けられた再生システムを有する。再生装置１はさらにメタデータ９を抽出し、ペイロード８をユーザーインターフェース５に転送するためのデコーダー３を有する。デコーダー３は内包されたオブジェクト１０のデータを抽出し、解析するよう適合している。好ましくは、デコーダー３はオブジェクト１０の信憑性と完全性を制御するように適合している。オブジェクト１０は鍵によって保護さされてもよい。そして、その鍵は、真偽性のチェックをするために使用されてもよい。さらに、完全性のチェックは従来の方法を利用してエラー訂正のために実行されてもよい。
【００４１】
オブジェクト１０もまたバリディティデータを含んでもよい。言い換えれば、オブジェクト１０は当該オブジェクトを正当に使用可能な時間と日付を示す情報を含んでもよい。例えば、当該情報により特定された日付の後は、オブジェクトはもはや正当に使用可能でなくなる、無視されるか、および／または、再送装置１から消去される。
【００４２】
オブジェクト１０は画像、オーディオ／ビデオ、アプリケーション、言い換えると、ウィジェット（ｗｉｄｇｅｔ）、ミドレット（Ｍｉｄｌｅｔ）（Ｊａｖａ（登録商標）アプリケーション）、プラグイン（ｐｌｕｇ−ｉｎ）などのような実行可能なソフトウエアのようなさまざまなデータの形式を含むためにひとつにパッケージ化されていてもよい。本発明に適合しない再生装置がこのようなデータファイルを受信すると、オブジェクト１０は単に無視され、再生装置のどの機能も妨げない方法で、パッケージ化されて内包される。一般に、オブジェクト１０にサイズの制限はなく、それはペイロード８やメタデータ９の残りよりも大きくてもよい。一方、サイズはコスト面で高くつくため、今日、オブジェクトのサイズは１キロバイトから５メガバイトの範囲内であることが期待されている。これは３から７メガバイトの典型的なオーディオファイルサイズと比較されるべきサイズである。
【実施例】
【００４３】
図２は本発明の実施形態に従った再生装置１のユーザーインターフェース５の部分として形成される表示画面１１を示している。
【００４４】
この例で、再生装置１は音楽再生機が組み込まれた携帯電話機である。いくつかのコンテンツプロバイダーからもたらされた音楽データファイル２は通信インターフェース７を通してダウンロードされ、メモリ６に保存される。代わりに、データファイル２は以前に外部のメモリに保存され、再生装置１に挿入されて接続される。オブジェクトの中身はデータファイル２内のオブジェクトに興味のある対象者によって決定される。典型的には通信インターフェース７の手段によって接続されるかもしれないコンテンツプロバイダーである。
【００４５】
データファイル２が使用されるとき、制御部４はデコーダー３にメタデータ９を抽出して処理するように命令する。オブジェクト１０は、例えば、音楽を演奏した演奏者の画像１２を含んでもよい。そのため、利用者がオーディオファイルを再生するとき、画像１２は表示画面１１に表示される。この方法で、コンテンツプロバイダーは個々の音楽コンテンツに関係ある画像をデータファイル２に直接挿入してもよい。
【００４６】
オブジェクト１０はさらにビデオ情報を含み、そのために、動画が表示画面１１上に表示されうる。
【００４７】
オブジェクト１０はさらにスキン、言い換えるなら、参照番号１４により示された再生機のシンボルのようなグラフィカルユーザーインターフェースの特別な外観（ｌｏｏｋ）を含んでもよい。利用者がオーディオファイルを再生するとき、再生機のシンボル１４の外観がオブジェクト１０に依存して変更される。そして、そのオブジェクトはコンテンツプロバイダーによって決定され、ペイロード８の個々の音楽コンテンツに関係付けられていてもよい。
【００４８】
オブジェクト１０はさらにメニュー、ポップアップメッセージ、広告、アニメ、テーマなどを含むミニアプリケーションを含んでもよい。例えば、参照番号１３が示すようなポップアップメッセージは利用者がデータファイル２を再生するときに表示画面１１に表示されうる。オブジェクト１０を含むアプリケーションはデータファイル２が再生されたとき実行される。ポップアップメッセージ１３は利用者にユーザーインターフェース５を使ってメッセージと相互作用させるために表示される。例えば、ポップアップメッセージはコンテンツプロバイダーへのリンク（インターネットのアドレスか他のアドレスデータ）を含んでもよい。そのため、利用者はメッセージ１３に見られるリンクにしたがって、とても容易な方法で、コンテンツプロバイダーへアクセスできる。
【００４９】
オブジェクト１０はポップアップメッセージが時間制限の提案を含みうる場合、さらに最終のバリディティの日時に関する情報を含みうる。有効期間が満了したとき、オブジェクト１０に含まれるアプリケーションは無視されるか、または、消去される。そのため、最終のバリディティデータが示す日時の経過後はメッセージ１３を見ることはできなくなる。
【００５０】
ポップアップメッセージはコンサートのチケットのような商品を買うためのさまざまな申し出（提案）を含んでもよい。したがって、コンテンツプロバイダーは提案を改良し、提案とデータファイルとしての音楽の販売を結び付け、提案とコンサートのような最新のイベントと結び付けてもよい。
【００５１】
オブジェクト１０を含むアプリケーションが適切に機能することを保証するために、オブジェクト１０はさらに「このオーディオファイル／アプリケーションはバージョン２．５以降のプレイヤーで動作可能です。」のような、または、似たようなバージョンラベルを含んでもよい。
【００５２】
一般に、オブジェクト１０はコンテンツプロバイダーによって挿入される。そして、そのプロバイダーはオブジェクト全体にわたるすべての制御を実行でき、そのプロバイダーによって再生機１でオブジェクトが機能させられる。一方、それが再生装置１で実行される限りは、再生装置１の利用者は本発明から利益を得るために行動を起こす必要がない。
【００５３】
コンテンツプロバイダーは、オブジェクトが、当該オブジェクトを抽出されるデータファイルと独立して使用されることを許容してもよい。メタデータ内に同梱されているバリディティデータはオブジェクトが分離されて保存されることを許容するかどうか、または、ファイルによって再生されることだけを許容するかどうかを定義するのに使用されてもよい。例えば、もし許可されたなら、画像、もしくは、スキンは利用者によっていつでも使用できるようにメモリ６、または、どこか他のところに保存されてもよい。
【００５４】
本発明はプログラミングすることによって再生装置１に実装されてもよい。本発明の実施形態において、コンピュータープログラムはコンピュータープログラムコードを有する。そして、そのコンピュータープログラムは再生装置にロードされ、上記で説明された本発明の能力を備えたデコーダー３は生成される。コンピュータープログラムは例えば通信インターフェース７を通してダウンロードされるか、または、外部メモリ、他の記憶装置、または、伝達媒体によって再生装置に搭載されてもよい。
【００５５】
本発明はハードウエアとソフトウエアの適宜の組み合わせによって実施されてもよい。上記で説明した実施例が適しているであろうが、本発明はいくつかのマルチメディアデータやメタデータの個々の形式によって制限されることはない。他の形式は将来同じ技術的機能を提供するために開発されうる。本発明の範囲は以下の請求項によってのみ限定される。
【図１】
2010518450.tif 000003
【図２】
2010518450.tif 000004
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
再生装置（１）であって、
前記再生装置（１）の動作を制御する制御部（４）と、
表示手段と入力手段とを有するユーザーインターフェース（５）と、
ペイロードデータ（８）を含むデータファイル（２）からメタデータ（９）を抽出するとともに前記ペイロードデータ（９）を前記ユーザーインターフェース（５）に転送する復号手段（３）と
を備え、
前記制御部（４）は、前記メタデータ（９）に搭載されていたオブジェクト（１０）のデータを抽出して解析するように構成されており、
前記オブジェクト（１０）は、前記ユーザーインターフェースにおいて利用される機能であって、前記ペイロードデータ（８）の中身に関連付けられた機能を含み、
前記制御部は、前記データファイル（２）を使用するときに、前記オブジェクト（１０）に依存して前記ユーザーインターフェース（５）を制御するように適合していることを特徴とする再生装置。
【請求項２】
前記復号手段（３）は、前記オブジェクト（１０）の真偽性および完全性の少なくと一方を制御するために適合していることを特徴とする請求項１記載の再生装置。
【請求項３】
前記復号手段（３）は、前記オブジェクト（１０）からバリディティ情報を抽出するように適合しており、
前記制御部（４）は、前記バリディティ情報に依存して前記オブジェクト（１０）を処理するように適合していることを特徴とする請求項１記載の再生装置。
【請求項４】
前記オブジェクト（１０）は、画像を含み、
前記制御部（４）は、前記ユーザーインターフェース（５）において前記画像を利用するように適合していることを特徴とする請求項１記載の再生装置。
【請求項５】
前記制御部（４）は、前記オブジェクト（１０）を抽出されるファイルに含まれている前記ペイロードデータ（８）を利用することで、前記表示手段において前記画像を利用するように適合していることを特徴とする請求項４記載の再生装置。
【請求項６】
前記オブジェクト（１０）は、前記アプリケーションを含み、
前記制御部（４）は、前記ユーザーインターフェース（５）の制御に関して前記アプリケーションを実行するように適合していることを特徴とする請求項１記載の再生装置。
【請求項７】
前記アプリケーションは、プレイヤーのシンボル、メニュー、および、背景画像のうちの少なくとも１つを含むことを特徴とする請求項６記載の再生装置。
【請求項８】
前記アプリケーションは、利用者にメッセージを提供するためのデータを含むことを特徴とする請求項６記載の再生装置。
【請求項９】
前記アプリケーションは、前記利用者に前記入力手段を通して再生装置と相互作用させるためのデータを含むことを特徴とする請求項８記載の再生装置。
【請求項１０】
前記アプリケーションは、さらに商品を購入するための提案を含むことを特徴とする請求項９記載の再生装置。
【請求項１１】
前記アプリケーションは、アドレスデータを含み、
前記再生装置は、さらに前記制御部（４）によって制御される通信インターフェースを備え、
前記制御部（４）は、前記通信インターフェースを介してアドレスデータによって定義された対象者との通信を確立するために適合していることを特徴とする請求項６記載の再生装置。
【請求項１２】
前記オブジェクトは、ソフトウエアの互換性を示すバージョンラベルを含み、
前記制御部（４）は、前記バージョンラベルに基づいて前記再生装置においてソフトウエアを制御するよう適合していることを特徴とする請求項６記載の再生装置。
【請求項１３】
前記再生装置は、専用の音楽再生機、追加的に音楽再生機を備えられた電子機器、携帯電話、ページャー、コミュニケーター、スマートフォン、または、電子手帳のような持ち運び可能な音楽再生装置であることを特徴とする請求項１記載の再生装置。
【請求項１４】
コンテンツアイテムであって、
メタデータ（９）とペイロードデータ（８）を有し、
オブジェクト（１０）が前記メタデータ（９）に内包されており、
前記コンテンツアイテムが利用されるときに、前記オブジェクト（１０）は、再生装置のユーザーインターフェース（５）において利用される機能を含むことを特徴とするコンテンツアイテム。
【請求項１５】
前記オブジェクト（１０）は、真偽性チェックを可能ならしめる鍵によって保護されていることを特徴とする請求項１４記載のコンテンツアイテム。
【請求項１６】
前記オブジェクト（１０）は、前記ユーザーインターフェース（５）において利用される画像を含むことを特徴とする請求項１４記載のコンテンツアイテム。
【請求項１７】
前記オブジェクト（１０）は、前記ユーザーインターフェース（５）の制御に関連して実行されるアプリケーションを含むことを特徴とする請求項１４記載のコンテンツアイテム。
【請求項１８】
前記アプリケーションは、プレイヤーのシンボル、メニュー、または、背景画像のうちの少なくとも１つを含むことを特徴とする請求項１７記載のコンテンツアイテム。
【請求項１９】
前記アプリケーションは、利用者にメッセージを提供するためのデータを含むことを特徴とする請求項１４記載のコンテンツアイテム。
【請求項２０】
前記アプリケーションは、前記利用者に入力手段を通して再生装置と相互作用させるためのデータを含むことを特徴とした請求項１９記載のコンテンツ。
【請求項２１】
前記アプリケーションは、さらに商品を買うための提案を含むことを特徴とする請求項２０記載のコンテンツアイテム。
【請求項２２】
前記アプリケーションは、アドレスデータによって定義される対象者との通信を確立するためのアドレスデータを含む請求項１４記載のコンテンツアイテム。
【請求項２３】
前記オブジェクト（１０）は、ソフトウエアの互換性を示すバージョンラベルに応じて再生装置においてソフトウエアを制御するのためのバージョンラベルを含むことを特徴とする請求項１４記載のコンテンツアイテム。
【請求項２４】
再生装置においてメタデータ（９）によって制御可能なユーザーインターフェース（５）を提供するためのコンピュータープログラムであって、
前記コンピュータープログラムは、
ペイロードデータ（８）を含むデータファイルからメタデータ（９）を抽出するとともに前記ペイロードデータを前記ユーザーインターフェース（５）に転送する復号手段（３）を提供するためのコンピュータープログラムコード手段を備え、
前記コンピュータープログラムコード手段は、制御部に、前記メタデータ（９）に搭載されていたオブジェクト（１０）のデータを抽出させて解析させるように構成されており、
前記オブジェクト（１０）は、前記ユーザーインターフェース（５）において利用される機能であって、前記ペイロードデータ（８）の中身に関連付けられた機能を含み、
前記コンピュータープログラムコード手段は、さらに前記制御部に、前記データファイル（２）を使用するときに、前記オブジェクト（１０）に依存して前記ユーザーインターフェース（５）を制御させるように構成されていることを特徴とするコンピュータープログラム。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
再生装置（１）であって、
前記再生装置（１）の動作を制御する制御部（４）と、
表示手段と入力手段とを有するユーザーインターフェース（５）と、
ペイロードデータ（８）を含むデータファイル（２）からメタデータ（９）を抽出するとともに前記ペイロードデータ（９）を前記ユーザーインターフェース（５）に転送する復号手段（３）と
を備え、
前記制御部（４）は、前記メタデータ（９）に搭載されていたオブジェクト（１０）のデータを抽出して解析するように構成されており、
前記オブジェクト（１０）は、前記ユーザーインターフェースにおいて利用される機能であって、前記ペイロードデータ（８）の中身に関連付けられた機能を含み、
前記制御部は、前記データファイル（２）を使用するときに、前記オブジェクト（１０）に依存して前記ユーザーインターフェース（５）を制御するように適合しており、
前記復号手段（３）は、前記オブジェクト（１０）の真偽性および完全性の少なくと一方を制御するために適合していることを特徴とする再生装置。
【請求項２】
前記復号手段（３）は、前記オブジェクト（１０）からバリディティ情報を抽出するように適合しており、
前記制御部（４）は、前記バリディティ情報に依存して前記オブジェクト（１０）を処理するように適合していることを特徴とする請求項１記載の再生装置。
【請求項３】
前記オブジェクト（１０）は、画像を含み、
前記制御部（４）は、前記ユーザーインターフェース（５）において前記画像を利用するように適合していることを特徴とする請求項１記載の再生装置。
【請求項４】
前記制御部（４）は、前記オブジェクト（１０）を抽出されるファイルに含まれている前記ペイロードデータ（８）を利用することで、前記表示手段において前記画像を利用するように適合していることを特徴とする請求項３記載の再生装置。
【請求項５】
前記オブジェクト（１０）は、前記アプリケーションを含み、
前記制御部（４）は、前記ユーザーインターフェース（５）の制御に関して前記アプリケーションを実行するように適合していることを特徴とする請求項１記載の再生装置。
【請求項６】
前記アプリケーションは、プレイヤーのシンボル、メニュー、および、背景画像のうちの少なくとも１つを含むことを特徴とする請求項５記載の再生装置。
【請求項７】
前記アプリケーションは、利用者にメッセージを提供するためのデータを含むことを特徴とする請求項５記載の再生装置。
【請求項８】
前記アプリケーションは、前記利用者に前記入力手段を通して再生装置と相互作用させるためのデータを含むことを特徴とする請求項７記載の再生装置。
【請求項９】
前記アプリケーションは、さらに商品を購入するための提案を含むことを特徴とする請求項８記載の再生装置。
【請求項１０】
前記アプリケーションは、アドレスデータを含み、
前記再生装置は、さらに前記制御部（４）によって制御される通信インターフェースを備え、
前記制御部（４）は、前記通信インターフェースを介してアドレスデータによって定義された対象者との通信を確立するために適合していることを特徴とする請求項５記載の再生装置。
【請求項１１】
前記オブジェクトは、ソフトウエアの互換性を示すバージョンラベルを含み、
前記制御部（４）は、前記バージョンラベルに基づいて前記再生装置においてソフトウエアを制御するよう適合していることを特徴とする請求項５記載の再生装置。
【請求項１２】
前記再生装置は、専用の音楽再生機、追加的に音楽再生機を備えられた電子機器、携帯電話、ページャー、コミュニケーター、スマートフォン、または、電子手帳のような持ち運び可能な音楽再生装置であることを特徴とする請求項１記載の再生装置。
【請求項１３】
コンテンツアイテムであって、
メタデータ（９）とペイロードデータ（８）を有し、
オブジェクト（１０）が前記メタデータ（９）に内包されており、
前記コンテンツアイテムが利用されるときに、前記オブジェクト（１０）は、再生装置のユーザーインターフェース（５）において利用される機能を含み、
前記オブジェクト（１０）は、真偽性チェックを可能ならしめる鍵によって保護されていることを特徴とするコンテンツアイテム。
【請求項１４】
前記オブジェクト（１０）は、前記ユーザーインターフェース（５）において利用される画像を含むことを特徴とする請求項１２記載のコンテンツアイテム。
【請求項１５】
前記オブジェクト（１０）は、前記ユーザーインターフェース（５）の制御に関連して実行されるアプリケーションを含むことを特徴とする請求項１２記載のコンテンツアイテム。
【請求項１６】
前記アプリケーションは、プレイヤーのシンボル、メニュー、または、背景画像のうちの少なくとも１つを含むことを特徴とする請求項１５記載のコンテンツアイテム。
【請求項１７】
前記アプリケーションは、利用者にメッセージを提供するためのデータを含むことを特徴とする請求項１２記載のコンテンツアイテム。
【請求項１８】
前記アプリケーションは、前記利用者に入力手段を通して再生装置と相互作用させるためのデータを含むことを特徴とした請求項１７記載のコンテンツアイテム。
【請求項１９】
前記アプリケーションは、さらに商品を買うための提案を含むことを特徴とする請求項１８記載のコンテンツアイテム。
【請求項２０】
前記アプリケーションは、アドレスデータによって定義される対象者との通信を確立するためのアドレスデータを含む請求項１２記載のコンテンツアイテム。
【請求項２１】
前記オブジェクト（１０）は、ソフトウエアの互換性を示すバージョンラベルに応じて再生装置においてソフトウエアを制御するのためのバージョンラベルを含むことを特徴とする請求項１２記載のコンテンツアイテム。
【請求項２２】
再生装置においてメタデータ（９）によって制御可能なユーザーインターフェース（５）を提供するためのコンピュータープログラムであって、
前記コンピュータープログラムは、
ペイロードデータ（８）を含むデータファイルからメタデータ（９）を抽出するとともに前記ペイロードデータを前記ユーザーインターフェース（５）に転送する復号手段（３）を提供するためのコンピュータープログラムコード手段を備え、
前記コンピュータープログラムコード手段は、制御部に、前記メタデータ（９）に搭載されていたオブジェクト（１０）のデータを抽出させて解析させるように構成されており、
前記オブジェクト（１０）は、前記ユーザーインターフェース（５）において利用される機能であって、前記ペイロードデータ（８）の中身に関連付けられた機能を含み、
前記コンピュータープログラムコード手段は、さらに前記制御部に、前記データファイル（２）を使用するときに、前記オブジェクト（１０）に依存して前記ユーザーインターフェース（５）を制御させるように構成されていることを特徴とするコンピュータープログラム。
【国際調査報告】
2010518450.tif 000005
2010518450.tif 000006
2010518450.tif 000007